(57)【特許請求の範囲】
【請求項１】
一の極性の信号を出力する複数の第１出力回路と、ここで、前記複数の第１出力回路は、互いに異なる第１群の第１出力回路と第２群の第１出力回路とを含み、
他の極性の信号を出力する複数の第２出力回路とを備え、
ここで、前記複数の第２出力回路は、互いに異なる第１群の第２出力回路と第２群の第２出力回路とを含み、
ここで、前記第１群及び第２群の第１出力回路と、前記第１群及び第２群の第２出力回路のそれぞれは、第１電源電圧に対応した第1電源端子と第２電源電圧に対応した第２電源端子を有し、
前記第１群の第１出力回路の第１電源端子と、前記第１群の第２出力回路の第１電源端子とを接続する第1電源配線と、
前記第２群の第１出力回路の第１電源端子と、前記第２群の第２出力回路の第１電源端子とを接続する第２電源配線と、
前記第１群の第１出力回路の第２電源端子と、前記第１群の第２出力回路の第２電源端子とを接続する第３電源配線と、
前記第２群の第１出力回路の第２電源端子と、前記第２群の第２出力回路の第２電源端子とを接続する第４電源配線とを更に備え、
ここで前記第１群の第１出力回路及び前記第１群の第２出力回路は、第１の方向に沿って配置されて第１の配列を成し、
ここで前記第２群の第１出力回路及び前記第２群の第２出力回路は、前記第１の方向に沿って配置されて第２の配列を成し、
ここで前記第１の配列及び前記第２の配列は、前記第１の方向とは異なる第２の方向に沿って隣接して配置され、
前記複数の第１出力回路及び前記複数の第２出力回路の出力をそれぞれ受ける複数の出力端子を更に備え、
ここで前記複数の出力端子は前記第１の方向に沿って配置されて第３の配列を成しつつ、前記第１、第２及び第３の配列はこの順で前記第２の方向に沿って隣接するように配置されており、
ここで前記複数の出力端子の内、相互にこの順で隣接する第１番、第２番、第３番及び第４番の出力端子に対して、対応する前記第１出力回路又は前記第２出力回路をそれぞれ第１番、第２番、第３番及び第４番の出力回路とするとき、前記第１番乃至第４番の出力回路の内、偶数番号の一つと奇数番号の一つとが前記第１群の第１出力回路及び前記第１群の第２出力回路よりなる前記第１の配列に含まれ、偶数番号のもう一つと奇数番号のもう一つとが前記第２群の第１出力回路及び前記第２群の第２出力回路よりなる前記第２の配列に含まれる
駆動回路。
【請求項２】
前記第３電源配線と前記第４電源配線とが同一の電源配線で構成される
請求項１の駆動回路。
【請求項３】
前記複数の第１出力回路は、第１の動作タイミングで前記一の極性の信号を出力すると共に、第１の動作タイミングと異なる第２の動作タイミングで前記他の極性の信号を出力し、
前記複数の第２出力回路は、前記第１の動作タイミングで前記他の極性の信号を出力すると共に、前記第２の動作タイミングで前記一の極性の信号を出力する
請求項１の駆動回路。
【請求項４】
前記第１の配列の中の前記第１群の第１出力回路と、前記第２の配列の中の前記第２群の第１出力回路とが、前記第２の方向に沿って隣接する
請求項１の駆動回路。
【請求項５】
前記第１の配列の中の前記第１群の第１出力回路と、前記第２配列の中の前記第２群の第２出力回路とが、前記第２の方向に沿って隣接する
請求項１の駆動回路。
【請求項６】
前記複数の出力端子は、相互に隣接するｎ（ｎは自然数）個毎に端子グループを形成し、一つの前記端子グループ内の各出力端子は前記一の極性の信号を出力し、前記一つの前記端子グループと隣り合う別の前記端子グループ内の各出力端子は前記他の極性の信号を出力する
請求項１の駆動回路。
【請求項７】
前記第１番及び第２番の出力回路が、前記第１及び第２の配列の一方に含まれ、
前記第３番及び第４番の出力回路が、前記第１及び第２の配列の他方に含まれる
請求項１の駆動回路。
【請求項８】
前記第１番及び第４番の出力回路が前記第１の配列に含まれ、
前記第２番及び第３番の出力回路が前記第２の配列に含まれ、
前記第１番及び第２番の出力回路が前記第２の方向に沿って隣接する
請求項１の駆動回路。
【請求項９】
前記第１番及び第４番の出力回路が前記第１の配列に含まれ、
前記第２番及び第３番の出力回路が前記第２の配列に含まれ、
前記第１番及び第２番の出力回路が前記第２の方向に沿って隣接しない
請求項１の駆動回路。
【請求項１０】
前記第１番及び第４番の出力回路が前記第２の配列に含まれ、
前記第２番及び第３番の出力回路が前記第１の配列に含まれ、
前記第１番及び第２番の出力回路が前記第２の方向に沿って隣接しない
請求項１の駆動回路。
【請求項１１】
前記第１番及び第３番の出力回路は、第１の動作タイミングにおいて前記一の極性の信号を出力すると共に、第２の動作タイミングに於いては、前記他の極性の信号を出力し、
前記第２番及び第４番の出力回路は、前記第１の動作タイミングにおいて前記他の極性の信号を出力すると共に、前記第２の動作タイミングに於いては、前記一の極性の信号を出力する
請求項１の駆動回路。
【発明の詳細な説明】
【技術分野】
【０００１】
本発明は、信号線駆動装置に関し、特に、表示装置の画像信号線のような複数の信号線を駆動する装置に関する。
【背景技術】
【０００２】
多数の信号線を駆動する公知の駆動装置は、例えば特許文献１にその概略図が開示されている。特許文献１においては、データラッチから出力されるデータ信号に応じて、正極諧調セレクタＳＥＬ１、３等または負極諧調セレクタＳＥＬ２、４等により、それぞれ複数の正極電圧の組または複数の負極電圧の組の中から各一つの電圧が選択出力される。その電圧は、正極諧調用のアンプＡＭＰ１、３等と負極諧調用のアンプＡＭＰ２，４等に入力され、これらアンプにより所定の駆動能力によって諧調出力信号が出力され、その出力信号はスイッチＳＷ１１等を介して出力端子Ｓ１、Ｓ２等に供給される。ここで、正極電圧の組と負極電圧の組が設けられているのは、例えば液晶材料を用いた表示装置に代表されるような、交流駆動型の表示装置に適用するためであり、正極電圧の組は、所定の基準電圧１／２ＡＶＤＤよりも高い電圧の組であり、負極電圧の組は、それよりも低い電圧の組である。正極諧調用のアンプＡＭＰ１、３等は、出力端子Ｓ１、Ｓ２等の配列と平行になるように配列されて、それと並行に延在する電源配線ＡＶＤＤ及び接地配線ＡＧＮＤＰに共通に接続されている。負極諧調用のアンプＡＭＰ２、４等も同様に出力端子配列に平行に配列され、正極諧調用のアンプの配列と前後するように隣接配置されて、それと並行に延在する電源配線ＡＶＤＤＮ及び接地配線ＡＧＮＤに共通に接続されている。これら正極用のアンプと負極用のアンプはそれぞれ、セレクタからの入力に応じて、基準電圧よりも高い即ち正極の出力信号と、これよりも低い負極の出力信号とを発生する。これら正極及び負極の出力信号は、スイッチＳＷ１１等によって、隣り合う出力端子の間で交互に交換されて出力され、これにより、出力端子Ｓ１、Ｓ２等からは、正極及び負極の出力信号が交互に出力される。
【特許文献１】特開２００６−２９２８０７
【発明の開示】
【発明が解決しようとする課題】
【０００３】
本願発明者の検討によれば、上述の特許文献１の駆動回路においては、アンプに接続される電源配線の抵抗成分による電源電圧の変動が生じ、出力信号の安定を損ねる恐れがある。即ち、例えばアンプＡＭＰ１が出力端子Ｓ１に正極諧調電圧の出力信号を供給する場合、電源配線ＡＶＤＤから出力端子Ｓ１に向かって、大きな電流を流さなければならない。一方アンプＡＭＰ１から接地配線ＡＧＮＤＰに対しては電流は全く流れないか、アンプの性能によって若干の過渡的な電流または若干の貫通電流が流れる。正極諧調電圧に対応する他のアンプＡＭＰ３、５等も同様である。したがって、ＡＭＰ１、３、５等による電流は、電源配線ＡＶＤＤに集中し、この大きな電流によって電源配線ＡＶＤＤで電圧降下が生じる。同様に、例えばアンプＡＭＰ２が出力端子Ｓ２に負極諧調電圧の出力信号を供給する場合、出力端子Ｓ２から接地配線ＶＧＮＤに向かって、大きな電流を流さなければならないが、電源配線ＡＶＤＤＮからアンプＡＭＰ２に対しては電流は流れないか僅かである。負極諧調電圧に対応する他のアンプＡＭＰ４、６等も同様である。したがって、ＡＭＰ２、４、６等による電流は、接地配線ＡＧＮＤに集中し、この大きな電流によって接地配線ＡＧＮＤにおける電圧上昇が生じる。このように、電源配線における電圧降下及び接地配線における電圧上昇が生じ、電源のノイズとなって、出力端子Ｓ１等から出力される出力信号の電位は不安定なものになる。特に、ＬＣＤドライバ等の表示装置の信号線を駆動する装置の場合には、従来は２４０チャンネル程度の出力信号線数だったものが、昨今では最大９６０チャンネル出力と、益々出力数は増加の傾向にある。このように複数個の出力アンプをもつ回路の構成及びレイアウトにおいては、電源配線の抵抗成分による電圧降下の影響は、出力数の増加と共に益々顕著になると考えられる。
【課題を解決するための手段】
【０００４】
この問題を解決する為に、本願請求項１の構成に於いては、一の極性の信号を出力する複数の第１出力回路と他の極性の信号を出力する複数の第２出力回路とを有する駆動回路に於いて、電源配線が、第１出力回路の内の一部のものの電源端子と、前記第２出力回路の内の一部のものの電源端子とに共通に接続されて電源を供給する構成とした。
【０００５】
このように構成する場合、第１及び第２出力回路は互いに出力信号の極性が異なることから、一方は電源との間で大きな電流を流すが他方が電源との間で流す電流は少ない。そして、この電源配線は、複数の第１出力回路の一部及び複数の第２出力回路の一部との間で電流を流す為、大きな電流が集中することを防ぐことができ、駆動回路の出力信号が不安定になるのを防止することができる。
【０００６】
また、請求項１７の構成に於いては、所定の方向に沿って配列された複数の出力端子部と、一の極性の信号を出力する複数の第１出力回路部と、他の極性の信号を出力する複数の第２出力回路部とを有する駆動回路において、第１出力回路部の少なくとも一部のものと、第２出力回路部の少なくとも一部のものとで第１の配列を形成し、第１出力回路部の他のものと第２出力回路部の他のものとで第２の配列を形成する構成としている。
【０００７】
このように構成すると、第１出力回路部の少なくとも一部のものと、第２出力回路部の少なくとも一部のものとで第１の配列を形成し、第１出力回路部の他のものと第２出力回路部の他のものとで第２の配列を形成しているので、特定のアンプの配列に電流が集中することを防ぐことができ、電流の過大な消費により出力信号が不安定になるのを防止することができる。
【発明の効果】
【０００８】
本発明によれば、複数の信号線を駆動する駆動回路においても、電源電圧の変動を防止し、出力信号の不安定化を防止することができる。
【発明を実施するための最良の形態】
【０００９】
以下に図面を参照しつつ、具体的な実施形態の例を説明する。以下の説明は、いずれも一例であって、本願発明を限定するものではなく、また当業者であれば、本願発明の範囲内において適宜変更乃至追加した態様にて理解し実施することが可能である。
【００１０】
第１の実施態様
図１は信号線駆動装置２の概略を示すブロック図である。駆動すべき対象である複数の信号線１に対して、複数の出力端子６が接続される。複数の出力端子６は相互に隣接して、図面では水平方向に延在する配列５をなしている。図１では、複数の出力端子６の内の８個を例示して、それぞれＳ１からＳ８と記しているが、複数であれば、これより多く又は少なく形成することができる。
【００１１】
出力端子Ｓ１及びＳ２には、出力用のアンプＡＰ１及びＡＮ１が、スイッチ７を介して接続される。アンプＡＰ１は、正の極性の出力信号を発生するためのアンプであり、電源電圧ＶＤＤを供給する電源配線ＶＤＤａと、接地電位ＶＳＳを供給する電源配線ＶＳＳａとに接続されて、１／２ＶＤＤ（ＶＤＤの１／２を意味する。以下同じ。）からＶＤＤの範囲内の出力信号を発生する。アンプＡＮ１は、負の極性の出力信号を発生するためのアンプであり、電源電圧ＶＤＤを供給する電源配線ＶＤＤｂと、接地電位ＶＳＳを供給する電源配線ＶＳＳｂとに接続されて、接地電位から１／２ＶＤＤまでの範囲内の出力信号を発生する。このように、基準となる中間の電圧よりも正の側（１／２ＶＤＤからＶＤＤ）の電圧を出力する専用アンプＡＰ１等と、負側（ＶＳＳから１／２ＶＤＤ）の電圧を出力する専用アンプＡＮ１等とを用いる駆動装置の構成は、Ｐ／Ｎバッファ・アンプ・タイプの構成とも呼ばれる。この場合、各アンプは極性を切り替えて出力できず、出力信号の極性を切り替えるスイッチ７はアンプの後段に配置される。
【００１２】
スイッチ７は、以下で動作を詳述するように、極性反転信号ＰＯＬを受けて、ある動作サイクルにおいては、アンプＡＰ１及びＡＮ１を、それぞれ、出力端子Ｓ１及びＳ２に接続し、他の動作サイクルにおいて極性反転信号がその論理値を変化させると、接続状態を切り替えて、アンプＡＰ１及びＡＮ１を、それぞれ、出力端子Ｓ２及びＳ１に接続する為のものである。ここで、個々のスイッチ７が、アンプから受け取る２つの信号を入れ替えないで、対応する２つの出力端子にそのままの順序で接続する場合を、正順の接続態様と称し、交換していわばクロスさせる態様にて２つの出力端子に接続することを交換の接続態様と称することとする。
【００１３】
図７ａは、このようなＰ／Ｎバッファ・アンプ・タイプの駆動回路の構成について、アンプとスイッチの部分を抜き出して示すものである。負極性用のアンプＡＮ１等は、差動増幅器ＯＰ１の正入力端に入力信号を受け、出力端を負入力端に負帰還接続して構成する。正極性用のアンプＡＰ１等は、同様に、差動増幅器ＯＰ２の正入力端に入力信号を受け、出力端を負入力端に負帰還接続して構成する。これらのアンプＡＰ１及びＡＮ１の後段にスイッチ７が接続されて、適宜出力が交換され、出力端子６に接続される。
【００１４】
出力端子Ｓ３及びＳ４には、出力用のアンプＡＰ２及びＡＮ２が、スイッチ７を介して接続される。アンプＡＰ２は、正の極性の出力信号を発生するためのアンプであり、電源電圧ＶＤＤを供給する電源配線ＶＤＤｂと、接地電位ＶＳＳを供給する電源配線ＶＳＳｂとに接続されて、１／２ＶＤＤからＶＤＤの範囲内の出力信号を発生する。アンプＡＮ２は、負の極性の出力信号を発生するためのアンプであり、電源電圧ＶＤＤを供給する電源配線ＶＤＤａと、接地電位ＶＳＳを供給する電源配線ＶＳＳａとに接続されて、接地電位から１／２ＶＤＤまでの範囲内の出力信号を発生する。
【００１５】
出力端子Ｓ３とＳ４に対応するスイッチ７は、上記と同様に、図示しない極性反転信号を受けて、ある動作サイクルにおいては、アンプＡＰ２及びＡＮ２を、それぞれ、出力端子Ｓ３及びＳ４に接続し、他の動作サイクルにおいて極性反転信号がその論理値を変化させると、接続状態を切り替えて、アンプＡＰ２及びＡＮ２を、それぞれ、出力端子Ｓ４及びＳ３に接続するものである。
【００１６】
出力端子Ｓ５からＳ８についても、スイッチ７及びアンプＡＰ３、ＡＰ４、ＡＮ３、ＡＮ４が、出力端子Ｓ１からＳ４に対応する構成を繰り返す態様にて同様に構成される。
【００１７】
その際、出力端子Ｓ５とＳ６に対応するアンプのうち、アンプＡＰ３は正極性の出力信号を発生するアンプであり、電源配線ＶＤＤａとＶＳＳａに接続される。アンプＡＮ３は負極性の出力信号を発生するアンプであり、電源配線ＶＤＤｂとＶＳＳｂに接続される。また、出力端子Ｓ７とＳ８に対応するアンプのうち、アンプＡＰ４は正極性の出力信号を発生するアンプであって、電源配線ＶＤＤｂとＶＳＳｂに接続され、アンプＡＮ４は負極性の出力信号を発生するアンプであって電源配線ＶＤＤａとＶＳＳａに接続される。
【００１８】
各アンプに対しては、信号処理回路１０からそれぞれデータ信号が与えられる。図１では例示した８個のアンプに対応する信号処理回路をそれぞれＤ１からＤ８として示している。これら信号処理回路１０は、それぞれ入力データ信号１２を受けて、レベルシフトやＤ／Ａ変換等の必要な信号処理を行なって、アンプＡＰ１等に対する入力信号を供給するものである。信号処理回路Ｄ１、Ｄ３、Ｄ５及びＤ７は、正極性の信号の処理を行い、信号処理回路Ｄ２、Ｄ４、Ｄ６及びＤ８は、負極性の信号の処理を行う。
【００１９】
信号処理回路１０の前段にはスイッチ１１が設けられて、信号処理回路１０のうち、隣り合うもの同士がその入力端子を相互に交換して入力データ信号１２を受け入れるように構成されている。スイッチ１１は極性反転信号に応答して、この切り替え動作を行う。これにより、アンプＡＰ１等の出力がスイッチ７で適宜交換されて、出力端子Ｓ１等から出力する信号の極性を入れ替えることに対応して、データ信号１２の順序をあらかじめスイッチ１１により同様に入れ替えておくことができるので、最終的に、出力端子Ｓ１からＳ８には、データ信号１２に対応した出力信号が正しい順序で供給される。
【００２０】
図１の駆動装置においては、各アンプは２列に分かれて配置され、配列３及び４を構成する。即ち、アンプＡＰ１，ＡＮ２，ＡＰ３及びＡＮ４が相互に隣接して配置されて配列４をなし、一方、アンプＡＮ１，ＡＰ２、ＡＮ３及びＡＰ４が相互に隣接して配置されて配列３をなす。これらアンプの配列３及び４は、互いに隣接して、かつ出力端子の配列５とも隣接して配置されている。配列４に属する各アンプ８と、配列３に属する各アンプ９とは互いに、配列５の延在する方向、即ち図面の左右方向に対して、９０度をなす方向に沿って互いに隣接しても良い。図１はそのような場合を示しており、例えばアンプＡＰ１とＡＮ１とは図面の上下方向に沿って相互に並んでいる。しかし、これら各アンプ８と９との位置関係は、レイアウト上の便宜により適宜左右方向にずれるように調整することも可能であり、アンプ８と９とが、配列５の方向とは異なる所定の方向に沿って互いに並びあっていれば良い。
【００２１】
このようなアンプの配列３及び４に対しては、すでに言及した電源配線の組ＶＤＤｂ及びＶＳＳｂと、もう一つの電源配線の組ＶＤＤａ及びＶＳＳａが、それぞれ設けられている。配列３に属するアンプ９、即ちアンプＡＮ１，ＡＰ２，ＡＮ３，ＡＰ４等は、電源配線の組ＶＤＤｂ及びＶＳＳｂに共通接続されて、共通に電源の供給を受ける。一方、配列４に属するアンプ８、即ちアンプＡＰ１，ＡＮ２，ＡＰ３，ＡＮ４等は、電源配線の組ＶＤＤａ及びＶＳＳａに共通接続されて、共通に電源の供給を受ける。電源配線ＶＤＤａとＶＤＤｂとは、いずれも電源電圧ＶＤＤを供給するための配線であるが、それぞれ配列４及び３に対応して独立して設けられており、これらの配列の内部においては相互接続されず、それぞれが配列３，４、５と平行に延在している。電源配線ＶＳＳａとＶＳＳｂも同様に、いずれも接地電圧ＶＳＳを供給するための配線であるが、それぞれ配列４及び３に対応して独立して設けられており、これらの配列の内部においては相互接続されず、それぞれが、配列３，４，５と平行に延在している。
【００２２】
図２ａは、駆動装置２の配列４に属するアンプの内、正極性のアンプＡＰ１及びＡＰ３等の構成を示す概略回路図である。配列３に属する正極製のアンプＡＰ２及びＡＰ４についても、図の電源配線をＶＤＤｂ及びＶＳＳｂに置き換えれば当てはまる。
【００２３】
図２ａにおいて、入力信号Ｖｉｎは、信号処理回路１０から受ける信号であり、差動増幅段２１の正入力端子に供給される。差動増幅段２１の出力は、Ｐ型トランジスタ２２及びＮ型トランジスタ２３のゲート電極に接続される。トランジスタ２２及び２３は、電源配線の組ＶＤＤａ及びＶＳＳａの間に直列接続されて出力トランジスタとして用いられる。これらトランジスタ２２及び２３の共通接続節点２５が、このアンプアンプＡＰ１及びＡＰ３等の出力端となる。出力端２５は、差動増幅段２１の負入力端子に接続されて、帰還回路を構成している。差動増幅段２１は、入力信号Ｖｉｎの値を反映した電圧レベルでＰ型トランジスタ２２のゲートを駆動し、これによって、出力端２５には、１／２ＶＤＤからＶＤＤの電圧範囲内で出力電圧が適切に発生される。
【００２４】
出力端２５は、スイッチ７及び出力端子Ｓ１等を介して、駆動すべき信号線１に接続される。図２ａでは、スイッチ７と出力端子Ｓ１等を省略すると共に、信号線１の負荷２４を示している。負荷２４は、この駆動回路の用途に応じてさまざまなものが考えられるが、例えば、液晶表表示装置の信号線及びそれに接続された画素に適用することができる。そのように、本実施態様の駆動装置をいわゆるＬＣＤドライバとして用いる場合には、負荷２４は、表示装置内の信号線の寄生容量および、画素を構成している液晶材料を誘電体とする容量素子である。
【００２５】
図２ｂは、駆動装置２の配列４に属するアンプの内、負極性のアンプＡＮ２及びＡＮ４等の構成を示す概略回路図である。配列３に属する負極製のアンプＡＮ１及びＡＮ３についても、図の電源配線をＶＤＤｂ及びＶＳＳｂに置き換えれば当てはまる。
【００２６】
図２ｂにおいて、入力信号Ｖｉｎは、信号処理回路１０から受ける信号であり、こらが差動増幅段２６の正入力端子に供給される。差動増幅段２６の出力は、Ｐ型トランジスタ２７及びＮ型トランジスタ２８のゲート電極に接続される。トランジスタ２７及び２８は、電源配線の組ＶＤＤａ及びＶＳＳａの間に直列接続されており、これらトランジスタ２７及び２８の共通接続節点２９が、このアンプアンプＡＮ２及びＡＮ４等の出力端となる。出力端２９は、差動増幅段２６の負入力端子に接続されて、帰還回路を構成している。差動増幅段２６は、入力信号Ｖｉｎの値を反映した電圧レベルでＮ型トランジスタ２８のゲートを駆動し、これによって、出力端２９には、接地電位から１／２ＶＤＤまでの電圧範囲内で出力電圧が適切に発生される。
【００２７】
出力端２９に接続される負荷２４については、図２ａと同様である。
【００２８】
次に、この駆動装置２の動作を説明する。まず極性反転信号が論理値Ｈをとり、それに応じてスイッチ７が切り替っている状態では、出力端子Ｓ１等と、アンプＡＰ１等とは、以下のように対応して、スイッチ７を介して接続されている。
【００２９】
極性反転信号がＨのときの出力端子とアンプとの対応関係：
出力端子  Ｓ１      Ｓ２      Ｓ３      Ｓ４      Ｓ５      Ｓ６      Ｓ７      Ｓ８
アンプ    ＡＮ１    ＡＰ１    ＡＮ２    ＡＰ２    ＡＮ３    ＡＰ３    ＡＮ４    ＡＰ４
【００３０】
即ち、スイッチ７の接続態様でいえば、スイッチＳＷ１とＳＷ３は交換の接続態様、ＳＷ２とＳＷ４は正順の接続態様である。
【００３１】
アンプＡＰ１、ＡＰ２、ＡＰ３及びＡＰ４は正極性の出力信号を発生するアンプであり、アンプＡＮ１、ＡＮ２、ＡＮ３及びＡＮ４は負極性の出力信号を発生するアンプであるから、上記の場合、出力端子Ｓ１ないしＳ８からは、交互に極性の異なる信号が発生される。
【００３２】
そして次に、極性反転信号が論理値を変化させてＬになり、スイッチ７が切り替わると、出力端子とアンプとの接続関係は以下のように変化する。
【００３３】
極性反転信号がＬのときの出力端子とアンプとの対応関係：
出力端子  Ｓ１      Ｓ２      Ｓ３      Ｓ４      Ｓ５      Ｓ６      Ｓ７      Ｓ８
アンプ    ＡＰ１    ＡＮ１    ＡＰ２    ＡＮ２    ＡＰ３    ＡＮ３    ＡＰ４    ＡＮ４
【００３４】
即ち、スイッチ７の接続態様でいえば、スイッチＳＷ１とＳＷ３は正順、ＳＷ２とＳＷ４は交換の接続態様に変化する。
【００３５】
即ちこの例では、出力端子Ｓ１等からの出力信号は、一つおきに極性が逆になり、かつ時間的にも極性を反転させつつ、出力信号を発生する構成となっている。この様子を模式的に表すと、図３のようになる。図３の表において、横軸は出力端子を表し、表中の記号の＋及び−は、それぞれ、出力信号の極性が正および負であることをあらわす。表の縦軸は極性反転信号ＰＯＬの値が変化していく様子を表す。これは液晶表示装置の画面の焼き付きやちらつきの防止などのために適用可能な出力方式である。特に、極性反転信号ＰＯＬを、表示装置の水平表示期間ごとに反転させる場合は、図３の表の極性が、表示装置の画面内での画齟齬との極性の配置に対応する。市松模様上に極性の異なる画素が配置されて、画質を向上することのできる方式であり、ドット反転法式とも呼ばれる。
【００３６】
このように極性反転信号ＰＯＬがＨからＬに変化すると、例えばアンプＡＰ１はこの新しい動作サイクルにおいて、前の動作サイクルで負極性のアンプＡＮ１によって接地電位から１／２ＶＤＤまでの間の電位に駆動されていた出力端子Ｓ１及びそれに付随する信号線１と負荷２４とを、１／２ＶＤＤからＶＤＤの範囲内の所定の電位にまで駆動しなければならず、大きな電流出力Ｉｏｕｔを生じることになる。この点を説明するために、図２ａを参照する。図２ａは、この場合のＡＰ１の動作を表している。信号線１及びその負荷２４を正極性の出力信号で駆動するために、アンプＡＰ１は電源配線ＶＤＤａから比較的大きな電流を取り込んで出力端子Ｓ１に向けて出力することになる。なお、出力アンプＡＰ１において、出力端子Ｓ１から接地電位の電源配線ＶＳＳａに向けて流れる電流は無いか、または若干の過渡的な電流又は定常時の若干の貫通電流に過ぎない。
【００３７】
同じように、正極性のアンプＡＰ２、ＡＰ３及びＡＰ４はいずれも、電源電位ＶＤＤから比較的大きな電流を取り込んで、それぞれの出力端子Ｓ３、Ｓ５及びＳ７に対して出力することになる。したがって、正極性のアンプ全てが電源電位ＶＤＤから流すべき電流の総和は大きなものとなる。しかし、この駆動回路２においては、上述したように、正極性のアンプを２つのグループに分けて、電源配線の組を異ならせており、例えば電源配線ＶＤＤａは、正極性のアンプの内の一部のもの、即ち、ＡＰ１及びＡＰ３等に共通接続されており、他のもの例えばＡＰ２及びＡＰ４等からは独立している。したがって、正極性のアンプＡＰ１およびＡＰ３等が同時に動作しても、電源配線ＶＤＤａに流れる電流は低く抑えることができ、電源配線ＶＤＤａの電位ＶＤＤは安定を保つことができる。従って、電源電位の変動によってアンプＡＰ１及びＡＰ３等の出力が揺らぐぎもことはない。
【００３８】
同様に、他の電源配線ＶＤＤｂも、正極性のアンプの内の一部のもの、即ち、ＡＰ２及びＡＰ４等に共通接続されており、他のもの例えばＡＰ１及びＡＰ３等からは独立している。したがって、正極性のアンプＡＰ２およびＡＰ４等が同時に動作しても、電源配線ＶＤＤｂに流れる電流は低く抑えることができ、電源配線ＶＤＤｂの電位ＶＤＤは安定を保つことができる。従って、電源電位の変動によってアンプＡＰ２及びＡＰ４の出力が揺らぐことはない。
【００３９】
また、例えばアンプＡＮ２は、前の動作サイクルで正極性のアンプＡＰ２によって１／２ＶＤＤからＶＤＤまでの間の電位に駆動されていた出力端子Ｓ４及びそれに付随する信号線１と負荷２４とを、今度の動作サイクルでは、接地電位から１／２ＶＤＤまでの範囲内の所定の電位に駆動しなければならず、大きな負の電流出力Ｉｏｕｔを生じることになる。つまり、この場合は、信号線１から電流を取り込んでこれを接地電源配線に流す動作を行なうことになる。この点を説明するために、図２ｂを参照する。図２ｂは、この場合のＡＮ２の動作を表している。信号線１及びその負荷２４を負極性の出力信号で駆動するために、アンプＡＮ２は出力端子Ｓ４から比較的大きな電流を取り込んで、接地電位の電源配線ＶＳＳａに向けて放出することになる。なお、出力アンプＡＮ２において、電源配線ＶＤＤａから出力端子Ｓ４に向けて流れる電流は無いか、または若干の過渡的な電流又は定常時の若干の貫通電流に過ぎない。
【００４０】
同様に、負極性のアンプＡＮ１、ＡＮ３及びＡＮ４はいずれも、信号線１から比較的大きな電流を取り込んで、それぞれの接地電位の電源配線に対して放出することになる。したがって、負極性のアンプ全てが接地電位に対して流すべき電流の総和は大きなものとなる。しかし、この駆動回路２においては、上述したように、負極性のアンプを２つのグループに分けて、電源配線の組を異ならせており、例えば接地電位の電源配線ＶＳＳａは、負極性のアンプの内の一部のもの、即ち、ＡＮ２及びＡＮ４等に共通接続されており、他のもの例えばＡＮ１及びＡＮ３等からは独立している。したがって、負極性のアンプＡＮ２およびＡＮ４等が同時に動作しても、電源配線ＶＳＳａに流れる電流は低く抑えることができ、電源配線ＶＳＳａの接地電位ＶＳＳは安定を保つことができる。従って、電源電位の変動によってアンプＡＮ２及びＡＮ４等の出力が揺らぐことはない。
【００４１】
同様に、他の電源配線ＶＳＳｂも、負極性のアンプの内の一部のもの、即ち、ＡＮ１及びＡＮ３等に共通接続されており、他のもの例えばＡＮ２及びＡＮ４等からは独立している。したがって、負極性のアンプＡＮ１およびＡＮ３等が同時に動作しても、電源配線ＶＳＳｂに流れる電流は低く抑えることができ、電源配線ＶＳＳｂの電位ＶＳＳは安定を保つことができる。従って、電源電位の変動によってアンプＡＮ１及びＡＮ３の出力が揺らぐことはない。
【００４２】
この駆動装置２は、半導体集積回路として、シリコン基板上に構成してチップとして切り出し、駆動対象信号線に接続することもできる。または、表示装置の駆動装置として用いる場合には、ガラス等の絶縁体の表面上に、適宜半導体材料、絶縁材料および金属材料を用いて回路を形成するＳＯＧ技術を適用して、表示装置の画面周辺部に直接形成することもできる。とくに、本実施態様の駆動装置は、電源電流の集中を防ぎ、電源配線の抵抗が出力信号の不安定化につながることを防止することができるので、配線抵抗の大きくなりやすい表示装置周辺部へのＳＯＧ方式での形成にも適用することができる。また、本実施態様の装置によれば、正極性及び負極性の各アンプとして、同じ電源電位および接地電位のもとで動作するアンプを採用しているので、正極性及び負極性用にそれぞれ異なる電源を用いることによる出力特性のばらつきを防ぐこともできる。
【００４３】
第２の実施態様
次に、第２の実施形態の例として、出力端子２つごとに、出力信号の極性が入れ替わる反転駆動方式を用いる構成とすることもできる。図４はその場合の出力信号の極性の変化の様子を、図３と同じように表したものである。図４においては、出力端子の配列５のうちの端部のもの、即ち出力端子Ｓ１の極性が出力端子Ｓ２と異なり、出力端子Ｓ２とＳ３は互いに同じ極性で出力端子Ｓ１とは逆、出力端子Ｓ４及びＳ５は互いに同じ極性で出力端子Ｓ２及びＳ３とは逆、などとなっており、以降２つの出力端子ごとに極性が変わる方式である。このような出力信号の構成は、例えば表示装置の画質や消費電力等を考慮した場合に採用されることがある。このように出力信号が隣り合う二つ毎に極性を異ならせる駆動方式を、Ｈ２ドット反転駆動と呼ぶ。
【００４４】
このように、出力端子２つごとに極性が逆になるような配置とするため、例えば本願の駆動装置２において、スイッチ７が極性反転信号ＰＯＬに応じて切り替わる接続態様を異ならせる。即ち、極性反転信号ＰＯＬがＬのとき、スイッチＳＷ１からＳＷ４等が全て正順、極性反転信号ＰＯＬがＨのとき、スイッチＳＷ１からＳＷ４等が全て逆順となるように、スイッチＳＷ２とＳＷ４等との構成を、上述の第１の実施態様の場合から変更すればよい。その場合、出力端子とアンプとの対応関係は以下のようになる。
【００４５】
極性反転信号がＨのときの出力端子とアンプとの対応関係：
出力端子  Ｓ１      Ｓ２      Ｓ３      Ｓ４      Ｓ５      Ｓ６      Ｓ７      Ｓ８
アンプ    ＡＮ１    ＡＰ１    ＡＰ２    ＡＮ２    ＡＮ３    ＡＰ３    ＡＰ４    ＡＮ４
極性反転信号がＬのときの出力端子とアンプとの対応関係：
出力端子  Ｓ１      Ｓ２      Ｓ３      Ｓ４      Ｓ５      Ｓ６      Ｓ７      Ｓ８
アンプ    ＡＰ１    ＡＮ１    ＡＮ２    ＡＰ２    ＡＰ３    ＡＮ３    ＡＮ４    ＡＰ４
【００４６】
または、上述の第１の実施態様のスイッチをそのまま用いつつ、スイッチＳＷ２及びＳＷ４等、すなわち偶数番号のスイッチに対して、極性反転信号ＰＯＬの相補信号／ＰＯＬを与えればよい。また上記第１の実施態様と、第２の実施態様とは、同じ駆動装置２の内部において、モード切替を行なって、適宜切り替えて実現することもできる。その場合は、奇数番号のスイッチ７に対しては極性反転信号ＰＯＬを供給しつつ、偶数番号のスイッチ７に対しては、モード切替信号に応じて、極性反転信号ＰＯＬを供給するか、ＰＯＬの反転信号である／ＰＯＬを供給するかを切り替えればよい。
【００４７】
第３の実施態様
図６は、第３の実施態様を示す駆動装置の概略図である。信号処理回路１０及びスイッチ１１は省略しているが、それらは第１及び第２の実施態様と同様である。第１及び第２の実施態様と異なる点は、接地電位の電源配線ＶＳＳｃを設け、これを、アンプの配列３及び４に共通に接続して接地電位の電源を供給することとした点である。このように構成すると、アンプの配列３及び４の間に領域の余裕を若干設けて、電源配線ＶＳＳｃを太く形成することも可能であり、配列３に属する負極性のアンプＡＮ１及びＡＮ３等と、配列４の負極性のアンプＡＮ２及びＡＮ４等が、この電源配線ＶＳＳｃに共通に接続されても、電位の変動を生じないようにすることができる。一方、電源配線ＶＤＤａ及びＶＤＤｂは、第１及び第２の実施態様と同様に、配列４及び配列３にそれぞれ対応して、独立して各配列に電源電位を供給するので、電流量を制限することによって、電源電位の変動を防止し、出力信号の変動を防止することができる。すなわち、電源配線ＶＳＳｃのような領域の余裕が無く、配線を太くして抵抗を下げることができない場合でも、電源配線ＶＤＤａ及びＶＤＤｂの電位変動を防止して出力信号の安定を維持することが可能となる。
【００４８】
第４の実施態様
図７は、第４の実施態様の駆動装置８２の構成を、先に説明したＰ／Ｎバッファ・アンプ・タイプの駆動装置の場合と比較して示す概略図であり、図７ａは、Ｐ／Ｎバッファ・アンプ・タイプの場合のアンプの場合を示す。、図７ｂは、これに対して、第４の実施態様で採用するいわゆるレール・トゥ・レール・タイプと呼ばれる構成のもので、１つのアンプで正極性と負極性の両方の極性の信号を出力するアンプを用いるものである。具体的には、差動増幅器ＯＰの正入力端に入力信号を受け、出力端を負入力端にいわゆる負帰還の形態にて接続して、アンプを構成し、正負両極性の出力信号を発生させることができるように構成している。従って、アンプが両極性の電圧の信号を出力できることから、アンプの後段でスイッチによって、出力端子へ送るべき信号を交換する必要が無く、極性の切り替えは、アンプＡ１、Ａ２等の前段に配置されスイッチ８７によって行うことができる。こうすることで、アンプの後段にスイッチ７を配置する場合のスイッチ７のインピーダンスの影響をのぞくことができ、出力信号レベルの強くまたは高精度のものとすることができる。よって、出力端子Ｓ１、Ｓ２等とアンプＡ１，Ａ２等が一対一に対応して接続される。スイッチ８７のおのおのの出力端子を、図８に示すように、個別に、ＳＤ１ないしＳＤ８とする。これらのスイッチ出力端子ＳＤ１等はアンプＡ１等と一対一に対応する。スイッチ出力ＳＤ１及びＳＤ２は、信号処理回路Ｄ１とＤ２の出力が適宜交換されてまたは交換せずに出力される端子であり、ＳＤ３からＳＤ８も同様である。
【００４９】
図８は、第４の実施形態における駆動装置８２の構成を示す概略図であり、第１から第３までの実施態様と同様の構成については、同じ参照番号を付して説明を省略する。信号処理回路１０からの出力は、スイッチ８７にて適宜交換されてから、その出力端子ＳＤ１ないしＳＤ８から出力され、アンプＡ１ないしＡ８に入力され、出力端子Ｓ１ないしＳ８から出力される。
【００５０】
スイッチの出力端子ＳＤ１等と、アンプＡ１等と、駆動装置の出力端子Ｓ１等の接続関係は以下のように、同じ数字のものが互いに対応して接続されている。
【００５１】
第４の実施態様における出力端子とアンプとの接続関係
スイッチの出力端子    ＳＤ１    ＳＤ２    ＳＤ３    ＳＤ４    ＳＤ５    ＳＤ６    ＳＤ７    ＳＤ８
アンプ                Ａ１      Ａ２      Ａ３      Ａ４      Ａ５      Ａ６      Ａ７      Ａ８
駆動装置の出力端子    Ｓ１      Ｓ２      Ｓ３      Ｓ４      Ｓ５      Ｓ６      Ｓ７      Ｓ８
【００５２】
図８の駆動装置８２においては、各アンプは２列に分かれて配置され、配列８３及び８４を構成する。即ち、アンプＡ１，Ａ２，Ａ５及びＡ６が相互にこの順で隣接して配置されて配列８４をなし、一方、アンプＡ３，Ａ４、Ａ７及びＡ８が相互にこの順で隣接して配置されて配列８３をなす。配列８３に属するアンプをアンプ８９とも称し、配列８４のものをアンプ８８とも称することとする。これらアンプの配列８３及び８４は、互いに隣接して、かつ出力端子の配列５とも隣接して配置されている。配列８４に属する各アンプ８８と、配列８３に属する各アンプ８９とは互いに、配列５の延在する方向、即ち図面の左右方向に対して、９０度をなす方向に沿って互いに隣接しても良い。図８はそのような場合を示しており、例えばアンプＡ１とＡ３とは図面の上下方向に沿って相互に並んでいる。しかし、これら各アンプ８８と８９との位置関係は、レイアウト上の便宜等により、適宜左右方向にずれるように調整することも可能であり、アンプ８８と８９とが、配列５の方向とは平行ではない所定の方向に沿って互いに並びあっていれば良い。図８では、アンプＡ１，Ａ２，Ａ５及びＡ６が、アンプＡ３，Ａ４、Ａ７及びＡ８と、それぞれ、この所定の方向に沿って並びあっている。
【００５３】
このようなアンプの配列８３及び８４に対しては、すでに説明した一つの電源配線の組ＶＤＤｂ及びＶＳＳｂと、もう一つの電源配線の組ＶＤＤａ及びＶＳＳａが、それぞれ設けられている。配列８３に属するアンプ８９は、電源配線の組ＶＤＤｂ及びＶＳＳｂに共通接続されて、共通に電源の供給を受ける。一方、配列８４に属するアンプ８８は、電源配線の組ＶＤＤａ及びＶＳＳａに共通接続されて、共通に電源の供給を受ける。電源配線ＶＤＤａとＶＤＤｂとは、いずれも電源電圧ＶＤＤを供給するための配線であるが、それぞれ配列８４及び８３に対応して独立して設けられており、これらの配列の内部においては相互接続されず、それぞれが配列８３，８４、５と平行に延在している。電源配線ＶＳＳａとＶＳＳｂも同様に、いずれも接地電圧ＶＳＳを供給するための配線であるが、それぞれ配列８４及び８３に対応して独立して設けられており、これらの配列の内部においては相互接続されず、それぞれが、配列８３，８４，５と平行に延在している。
【００５４】
図９は、レール・トゥ・レール・タイプのアンプの内、配列８４に属するアンプ８８の構成を示す概略回路図であり、図９ａは正極の信号を出力している場合、図９ｂは負極の信号を出力している場合を示す。配列８３に属するアンプ８９についても、図９の電源配線をＶＤＤｂ及びＶＳＳｂに置き換えれば当てはまる。
【００５５】
図９ａおよび図９ｂにおいて、入力信号Ｖｉｎは、信号処理回路１０からスイッチ８７を介して受ける信号であり、これが差動増幅段９１の正入力端子に供給される。差動増幅段９１の出力は、Ｐ型トランジスタ９２及びＮ型トランジスタ９３のゲート電極に接続される。トランジスタ９２及び９３は、電源配線の組ＶＤＤａ及びＶＳＳａの間に直列接続されて出力トランジスタとして用いられる。これらトランジスタ９２及び９３の共通接続節点９５が、このアンプアンプ８８の出力端となる。出力端９５は、差動増幅段９１の負入力端子に接続されて、帰還回路を構成している。差動増幅段９１は、入力信号Ｖｉｎの値を反映した電圧レベルでＰ型トランジスタ９２及びＮ型トランジスタ９３のゲート電源電圧の範囲で駆動し、これによって、出力端９５には、接地電位ＶＳＳから電源電位ＶＤＤまでの電圧範囲内で出力電圧が適切に発生される。
【００５６】
次に、この駆動装置８２の動作を説明する。まず、図３で説明したように、駆動回路８２の出力信号の極性が、出力端子Ｓ１等の相互間で、１個ごとに逆になっている構成について説明する。
【００５７】
まず、信号処理回路１０はすでに説明したようにおのおの処理できる信号の極性が定まっており、信号処理回路Ｄ１、Ｄ３等は正極性の信号、Ｄ２、Ｄ４等は負極性の信号を処理し出力する。極性反転信号ＰＯＬが論理値Ｈをとると、それに応じてスイッチ８７が切り替って、全てのスイッチ８７は、入力信号の左右の位置を入れ替えて出力する、交換の接続態様となる。この場合、信号処理回路Ｄ１等の出力の極性、スイッチの出力ＳＤ１等の極性、アンプＡ１等の極性、及び駆動装置の出力端子Ｓ１等の極性を、正極製を＋記号、負極製を−記号で表すと、以下のようになる。
【００５８】
極性反転信号がＨのときの各信号の極性：
信号処理回路の極性（固定）Ｄ１      Ｄ２      Ｄ３      Ｄ４      Ｄ５      Ｄ６      Ｄ７      Ｄ８
＋        −        ＋        −        ＋        −        ＋        −
スイッチ８７の出力極性    ＳＤ１    ＳＤ２    ＳＤ３    ＳＤ４    ＳＤ５    ＳＤ６    ＳＤ７    ＳＤ８
−        ＋        −        ＋        −        ＋        −        ＋
アンプの極性              Ａ１      Ａ２      Ａ３      Ａ４      Ａ５      Ａ６      Ａ７      Ａ８
−        ＋        −        ＋        −        ＋        −        ＋
出力端子の極性            Ｓ１      Ｓ２      Ｓ３      Ｓ４      Ｓ５      Ｓ６      Ｓ７      Ｓ８
−        ＋        −        ＋        −        ＋        −        ＋
【００５９】
即ち、出力端子Ｓ１等の極性は、図３に示す極性反転の態様になっている。
【００６０】
そして次に、極性反転信号ＰＯＬが論理値を変化させてＬになると、スイッチ８７は正順の接続態様へと切り替わり、これにより、各信号の極性の関係は以下のようになる。
【００６１】
極性反転信号がＬのときの各信号の極性：
信号処理回路の極性（固定）Ｄ１      Ｄ２      Ｄ３      Ｄ４      Ｄ５      Ｄ６      Ｄ７      Ｄ８
＋        −        ＋        −        ＋        −        ＋        −
スイッチ８７の出力極性    ＳＤ１    ＳＤ２    ＳＤ３    ＳＤ４    ＳＤ５    ＳＤ６    ＳＤ７    ＳＤ８
＋        −        ＋        −        ＋        −        ＋        −
アンプの極性              Ａ１      Ａ２      Ａ３      Ａ４      Ａ５      Ａ６      Ａ７      Ａ８
＋        −        ＋        −        ＋        −        ＋        −
出力端子の極性            Ｓ１      Ｓ２      Ｓ３      Ｓ４      Ｓ５      Ｓ６      Ｓ７      Ｓ８
＋        −        ＋        −        ＋        −        ＋        −
【００６２】
このときのアンプの極性を、図８においても、同様の＋−の記号で示している。
【００６３】
このように極性反転信号ＰＯＬがＨからＬに変化すると、例えばアンプＡ１はこの新しい動作サイクルにおいて、前の動作サイクルで自身が負極性の電位に駆動していた出力端子Ｓ１及びそれに付随する信号線１と負荷２４とを、正極性の電圧範囲内の所定の電位にまで駆動しなければならず、大きな電流出力Ｉｏｕｔを生じることになる。即ち、図９ａに示したように、アンプＡ１は電源配線ＶＤＤａから比較的大きな電流を取り込んで出力端子Ｓ１に向けて出力することになる。なお、出力アンプＡ１において、出力端子Ｓ１から接地電位の電源配線ＶＳＳａに向けて流れる電流は無いか、または若干の過渡的な電流又は定常時の若干の貫通電流があるに過ぎない。
【００６４】
同じように、この動作サイクルにおいて正極性の信号を出力するアンプＡ３、Ａ５及びＡ７はいずれも、電源電位ＶＤＤから比較的大きな電流を取り込んで、それぞれの出力端子Ｓ３、Ｓ５及びＳ７に対して出力することになる。したがって、正極性のアンプ全てが電位ＶＤＤから流すべき電流を単純に足し合わせると非常に大きなものとなる。しかし、この駆動回路８２においては、上述したように、アンプを所定の２つのグループに分けて、電源配線の組を異ならせており、電源配線ＶＤＤａは、この動作サイクルで正極性の出力を行うアンプの内の一部のもの、即ち、Ａ１及びＡ５等に共通接続されており、他の正極性のもの例えばＡ３及びＡ７等からは独立している。したがって、このサイクルで正極性のアンプＡ１およびＡ５等が同時に動作しても、電源配線ＶＤＤａに流れる電流は低く抑えることができ、電源配線ＶＤＤａの電位ＶＤＤは安定を保つことができる。従って、電源電位の変動によってアンプＡ１及びＡ５等の出力が揺らぐことはない。
【００６５】
同様に、他の電源配線ＶＤＤｂも、この動作サイクルで正極性となるアンプの内の一部のもの、即ち、Ａ３及びＡ７に共通接続されており、他のもの例えばＡ１及びＡ５からは独立している。したがって、正極性のアンプＡ３およびＡ７が同時に動作しても、電源配線ＶＤＤｂに流れる電流は低く抑えることができ、電源配線ＶＤＤｂの電位ＶＤＤは安定を保つことができる。従って、電源電位の変動によってアンプＡ３及びＡ７の出力が揺らぐことはない。
【００６６】
また、例えばアンプＡ２は、前の動作サイクルで自身が正極性の電位に駆動していた出力端子Ｓ２及びそれに付随する信号線１と負荷２４とを、今度の動作サイクルでは、負極性の範囲内の所定の電位に駆動しなければならず、大きな負の電流出力Ｉｏｕｔを生じる、つまりこの場合は、信号線１から電流を取り込んでこれを接地電源配線に流すことになる。この状態を、図９ｂに示す。信号線１及びその負荷２４を負極性の出力信号で駆動するために、アンプＡ２は出力端子Ｓ２から比較的大きな電流を取り込んで、接地電位の電源配線ＶＳＳａに向けて放出する。なお、出力アンプＡ２において、電源配線ＶＤＤａから出力端子Ｓ２に向けて流れる電流は無いか、または若干の過渡的な電流又は定常時の若干の貫通電流に過ぎない。
【００６７】
同様に、この動作サイクルで負極性となるアンプＡ４、Ａ６及びＡ８はいずれも、信号線１から比較的大きな電流を取り込んで、それぞれの接地電位の電源配線に対して放出することになる。したがって、これら負極性のアンプ全てが接地電位に対して流すべき電流の総和は単純に足し合わせるならば、大きなものとなる。しかし、この駆動回路８２においては、上述したように、アンプを所定の２つのグループに分けて、電源配線の組を異ならせており、例えば接地電位の電源配線ＶＳＳａは、同時に負極性となるアンプの内の一部のもの、即ち、Ａ２及びＡ６に共通接続されており、他のもの例えばＡ４及びＡ８からは独立している。したがって、負極性のアンプＡ２およびＡ６が同時に動作しても、電源配線ＶＳＳａに流れる電流は低く抑えることができ、電源配線ＶＳＳａの接地電位ＶＳＳは安定を保つことができる。従って、電源電位の変動によってアンプＡ２及びＡ６等の出力が揺らぐことはない。
【００６８】
同様に、他の電源配線ＶＳＳｂも、電流を低く抑えることができ、電源配線ＶＳＳｂの電位ＶＳＳは安定を保つことができる。従って、電源電位の変動によって、これに対応するアンプＡ４及びＡ８の出力が揺らぐことはない。
【００６９】
そして、本実施態様においては、電源配線ＶＤＤａに対しては、同じ動作サイクルで正極性の動作を行ない、大きな電流を電源電位ＶＤＤから流すことになるアンプの内、その一部であるアンプＡ１及びＡ５を共通に接続すると共に、その動作サイクルでは負極性の動作を行ない、従って電源電位ＶＤＤから殆ど電流を流すことの無いアンプＡ２及びＡ６をも、共通に接続している。他の電源配線ＶＤＤｂ、ＶＳＳａ及びＶＳＳｂも同様である。即ち、同時に同じ極性の動作を行なうアンプを２つのグループに分けて、別々の電源配線に対応させると共に、同時には同じ極性の動作を行なわないアンプ同士を同じグループに属させて同じ電源配線に接続する構成となっている。配置の上では、同時に同じ極性の動作を行なうアンプを２つの配列に分けて属させると共に、同時には同じ極性の動作を行なわないアンプ同士を同じ配列内で隣接させる構成としている。これにより、本実施態様においては、同時に動作するアンプを異なる電源配線に対応付けつつ、同時には動作しないアンプを同じ電源配線に共通接続させて、タイミングを異ならせて同じ電源配線を利用する構成としているので、電源配線の数を増やすことなく、電源変動を防止できるという効果も得ることができる。また、本実施態様の装置によれば、正極性及び負極性の各アンプとして、同じ電源電位および接地電位のもとで動作するアンプを採用しているので、正極性及び負極性用に異なる電源のもとで動作する異なるアンプを用いることによる出力特性のばらつきを防ぐこともできる。
【００７０】
極性反転信号ＰＯＬが再びＨへと変化したときの動作においても同様の効果を得ることができる。
【００７１】
上記の説明では、出力端子Ｓ１からＳ８に対応する構成について説明したが、さらに多くの出力端子、及びそれらに対応するアンプＡｉ（ｉは自然数）やスイッチ８７が、上記の構成を反復する態様にて設けられていても良い。その場合、アンプの配列８４及び８３は、それぞれ多数のアンプを含むことになり、電源配線ＶＤＤａ，ＶＳＳａ、ＶＤＤｂ及びＶＳＳｂも多くのアンプに接続されることになるが、本実施態様のように構成すれば、一組の電源配線に接続されるアンプの数は、従来のものと比べて半減させることができるので、確実に電源電圧の変動防止、及び出力信号の安定化を図ることができる。
【００７２】
第５の実施態様
図８に示した駆動装置８２は、出力端子とアンプとの接続形態はそのままで、スイッチ８７の動作を若干変更することによって、図４の駆動方法にも適用することができる。例えば、極性反転信号ＰＯＬがＨの時には、まず、出力信号Ｓ１等及びアンプＡ１等の極性は以下のようになる。
【００７３】
極性反転信号がＨのときの出力端子とアンプの極性
アンプ        Ａ１      Ａ２      Ａ３      Ａ４      Ａ５      Ａ６      Ａ７      Ａ８
−        ＋        ＋        −        −        ＋        ＋        −
出力端子      Ｓ１      Ｓ２      Ｓ３      Ｓ４      Ｓ５      Ｓ６      Ｓ７      Ｓ８
−        ＋        ＋        −        −        ＋        ＋        −
【００７４】
即ち、アンプの配列８４に属するアンプＡ１、Ａ２、Ａ５及びＡ６の極性は、この順にそれぞれ、−＋−＋となり、配列８３のアンプＡ３、Ａ４、Ａ７及びＡ８の極性は、この順にそれぞれ、−＋−＋となる。従って、いずれの配列も、同時に同じ極性の動作を行なうアンプの一部を含む構成となっており、電流の集中を防止して、電源電位の変動防止及び出力信号の安定を図ることができる。また、いずれの配列も、同時には同じ極性の動作を行なわないアンプ同士を隣接させているので、電源配線数を増やすことなく、電流の集中を防止して、電源電位の変動防止及び出力信号の安定を図ることができる。極性反転信号がＬの場合も同様である。
【００７５】
そして、この第５の実施態様のように構成する場合は、以下のようにすればよい。なお以下では、複数のスイッチ８７の各々を、図８に示すように、ＳＷ１、ＳＷ２等と呼ぶ。まず極性反転信号ＰＯＬがＨのときは、第４の実施態様ではスイッチ８７は全て交換の接続態様だったが、これを変更して、スイッチＳＷ１及びＳＷ３が交換、ＳＷ２及びＳＷ４が正順の接続態様とする。極性反転信号ＰＯＬがＬのときは逆に、それぞれ、正順と交換の接続態様に切り替わる。
【００７６】
この第５の実施態様は、第４の実施態様と同じ駆動装置８２において、スイッチＳＷ２及びＳＷ４に供給する信号を、極性反転信号ＰＯＬとするか、その反転信号／ＰＯＬとするかを、内部モード信号によって切り替えることによって実現できる。
【００７７】
第６の実施態様
第５の実施態様では、電源電位ＶＤＤの電源配線と、接地電位ＶＳＳの電源配線との両方を、２種類ずつ設ける構成としたが、図６と同様に、電源電位ＶＤＤの電源配線については上記の構成を用いて電源配線ＶＤＤａ及びＶＤＤｂを形成しつつ、接地電位ＶＳＳの電源配線については、配列８３及び８４に共通の配線ＶＳＳｃを形成してもよい。このように構成すると、アンプの配列８３及び８４の間に領域の余裕を若干設けて、電源配線ＶＳＳｃを太く形成することも可能であり、配列８３および８４に属するアンプが同時に負極性の信号出力動作を行なっても、電位の変動を生じないようにすることができる。一方、電源配線ＶＤＤａ及びＶＤＤｂは、第４及び５の実施態様と同様に、配列８４及び配列８３にそれぞれ対応して、独立して各配列に電源電位を供給するので、電流量を制限することによって、電源電位の変動を防止し、出力信号の変動を防止することができる。すなわち、電源配線ＶＳＳｃのような領域の余裕が無く、配線を太くして抵抗を下げることができない場合でも、電源配線ＶＤＤａ及びＶＤＤｂの電位変動を防止して出力信号の安定を維持することが可能となる。同様に、電源配線ＶＤＤｃを共通として、接地電位の電源配線ＶＳＳａ及びＶＳＳｂは別個に設ける構成とすることも可能である。
【００７８】
第７の実施態様
図１０は、第７の実施太陽の駆動装置を表す概略図である。図８と同じ構成については同じ参照番号を付して説明は省略する。
図１０の駆動装置１０２においても、各アンプは２列に分かれて配置され、配列１０３及び１０４を構成する。即ち、アンプＡ２，Ａ３，Ａ６及びＡ７が相互にこの順で隣接して配置されて配列１０４をなし、一方、アンプＡ１，Ａ４、Ａ５及びＡ８が相互にこの順で隣接して配置されて配列１０３をなしている。配列１０３に属するアンプをアンプ１０９とも称し、配列１０４のものをアンプ１０８とも称することとする。これらアンプの配列１０３及び１０４は、互いに隣接して、かつ出力端子の配列５とも隣接して配置されている。配列１０４に属する各アンプ１０８と、配列１０３に属する各アンプ１０９とは互いに、配列５の延在する方向、即ち図面の左右方向に対して、９０度をなす方向に沿って互いに隣接しても良い。図１０はそのような場合を示しており、例えばアンプＡ１とＡ２とは図面の上下方向に沿って相互に並んでいる。しかし、これら各アンプ１０８と１０９との位置関係は、レイアウト上の便宜等により、適宜左右方向にずれるように調整することも可能であり、アンプ１０８と１０９とが、配列５の方向とは平行ではない所定の方向に沿って互いに並びあっていれば良い。図８では、アンプＡ２，Ａ３，Ａ６及びＡ７が、アンプＡ１，Ａ４、Ａ５及びＡ８と、それぞれ、この所定の方向に沿って並びあっている。
【００７９】
このようなアンプの配列１０３及び１０４に対しては、すでに説明した一つの電源配線の組ＶＤＤｂ及びＶＳＳｂと、もう一つの電源配線の組ＶＤＤａ及びＶＳＳａが、それぞれ設けられている。配列１０３に属するアンプ１０９は、電源配線の組ＶＤＤｂ及びＶＳＳｂに共通接続されて、共通に電源の供給を受ける。一方、配列１０４に属するアンプ１０８は、電源配線の組ＶＤＤａ及びＶＳＳａに共通接続されて、共通に電源の供給を受ける。電源配線ＶＤＤａとＶＤＤｂとは、いずれも電源電圧ＶＤＤを供給するための配線であるが、それぞれ配列８４及び８３に対応して独立して設けられており、これらの配列の内部においては相互接続されず、それぞれが配列１０３，１０４、５と平行に延在している。電源配線ＶＳＳａとＶＳＳｂも同様に、いずれも接地電圧ＶＳＳを供給するための配線であるが、それぞれ配列１０４及び１０３に対応して独立して設けられており、これらの配列の内部においては相互接続されず、それぞれが、配列１０３，１０４，５と平行に延在している。
【００８０】
次に、この駆動装置１０２の動作を説明する。まず、図３で説明したように、駆動回路１０２の出力信号の極性が、出力端子Ｓ１等の相互間で、１個ごとに逆になっている構成について説明する。
【００８１】
極性反転信号ＰＯＬが論理値Ｈをとると、それに応じてスイッチ８７が切り替って、全てのスイッチ８７は、入力信号の左右の位置を入れ替えて出力する、交換の接続態様となる。この場合、スイッチの出力ＳＤ１等の極性、アンプＡ１等の極性、及び駆動装置の出力端子Ｓ１等の極性を、正極製を＋記号、負極製を−記号で表すと、以下のようになる。
【００８２】
極性反転信号がＨのときの各信号の極性：
スイッチ８７の出力極性    ＳＤ１    ＳＤ２    ＳＤ３    ＳＤ４    ＳＤ５    ＳＤ６    ＳＤ７    ＳＤ８
−        ＋        −        ＋        −        ＋        −        ＋
アンプの極性              Ａ１      Ａ２      Ａ３      Ａ４      Ａ５      Ａ６      Ａ７      Ａ８
−        ＋        −        ＋        −        ＋        −        ＋
出力端子の極性            Ｓ１      Ｓ２      Ｓ３      Ｓ４      Ｓ５      Ｓ６      Ｓ７      Ｓ８
−        ＋        −        ＋        −        ＋        −        ＋
【００８３】
そして次に、極性反転信号ＰＯＬが論理値を変化させてＬになり、スイッチ８７が正順の接続態様へと切り替わると、各信号の極性の関係は以下のようになる。
【００８４】
極性反転信号がＬのときの各信号の極性：
スイッチ８７の出力極性    ＳＤ１    ＳＤ２    ＳＤ３    ＳＤ４    ＳＤ５    ＳＤ６    ＳＤ７    ＳＤ８
＋        −        ＋        −        ＋        −        ＋        −
アンプの極性              Ａ１      Ａ２      Ａ３      Ａ４      Ａ５      Ａ６      Ａ７      Ａ８
＋        −        ＋        −        ＋        −        ＋        −
出力端子の極性            Ｓ１      Ｓ２      Ｓ３      Ｓ４      Ｓ５      Ｓ６      Ｓ７      Ｓ８
＋        −        ＋        −        ＋        −        ＋        −
【００８５】
このときのアンプの極性を、図１０においても、同様の＋−の記号で示している。
【００８６】
このように極性反転信号ＰＯＬがＨからＬに変化すると、各アンプはこの新しい動作サイクルにおいて、前の動作サイクルで自身が出力端子を駆動していた極性とは逆の極性で、その出力端子を駆動しなければならない。従って、この動作サイクルで正極性の出力を行なうアンプは、電源電位ＶＤＤから多くの電流を取り込んで出力端子に流す。一方接地電位に向かっては殆ど電流を流さない。逆に、この動作サイクルで負極性の出力を行なうアンプは、出力端子から電流を吸収して接地電位ＶＳＳに向かって多くの電流を流すことになる。一方電源電位ＶＤＤからは殆ど電流を取り込まない。
【００８７】
したがって、正極性のアンプ全てが電位ＶＤＤから流すべき電流を単純に足し合わせると非常に大きなものとなる。しかし、この駆動回路１０２においては、上述したように、アンプを所定の２つのグループに分けて、電源配線の組を異ならせており、電源配線ＶＤＤａは、この動作サイクルで正極性の出力を行うアンプの内の一部のもの、即ち、Ａ３及びＡ７等に共通接続されており、他の正極性のもの例えばＡ１及びＡ５等からは独立している。したがって、このサイクルで正極性のアンプＡ３およびＡ７等が同時に動作しても、電源配線ＶＤＤａに流れる電流は低く抑えることができ、電源配線ＶＤＤａの電位ＶＤＤは安定を保つことができる。従って、電源電位の変動によってアンプＡ３及びＡ７等の出力が揺らぐことはない。
【００８８】
同様に、配列１０３においても、電源配線ＶＤＤｂの電位が揺らぐことは無く、アンプＡ１及びＡ５の出力電位が不安定になることを防止できる。さらに同様に、配列１０３および１０４の双方においても、接地電位の電源配線ＶＳＳａ及びＶＳＳｂの電位の変動を防止でき、このサイクルで負極性のアンプＡ２，Ａ４，Ａ６及びＡ８の出力を安定化することができる。
【００８９】
さらに、例えば電源配線ＶＤＤａについてみると、正極性のアンプの一部であるアンプＡ３及びＡ７を接続するだけでなく、この動作サイクルでは負極性のアンプＡ２及びＡ６も共通接続している。このように構成すると、アンプＡ２及びＡ６はこのとき電源配線ＶＤＤＡからは殆ど電流を流さないので、電源電位の変動を生じさせる恐れは無く、かつ、これらアンプＡ２、Ａ３、Ａ６及びＡ７で電源配線を共用することから、電源配線数を増加させることは無く、回路規模を大きくすること無く、電源の安定化及び出力信号の安定化を図ることができる。この点は、先の図８の実施態様と同様である。また、極性反転信号ＰＯＬが再びＨへと変化したときの動作においても同様である。
【００９０】
第８の実施態様
図１０に示した駆動装置１０２は、出力端子とアンプとの接続形態はそのままで、スイッチ８７の構成を変更することによって、出力端子Ｓ１等が、２つごとに極性を入れ替える方式の反転駆動、巣縄値先に説明したＨ２ドット反転駆動方式にも用いることができる。但し、この場合は、図５の駆動方法を用いる。図５の駆動方法は、図４のものと比べて、極性の規則性が出力端子１つ分だけずれた関係にある。即ち、出力端子Ｓ１及びＳ２が同極性で、出力端子Ｓ３及びＳ４は互いに同極性で出力端子Ｓ１およびＳ２とは逆、などとなっており、以降出力端子２つごとに極性が変わる方式である。この場合、例えば、極性反転信号ＰＯＬがＨの時には、まず、出力信号Ｓ１等及びアンプＡ１等の極性は以下のようになる。
【００９１】
極性反転信号がＨのときの出力端子とアンプの極性
アンプ        Ａ１      Ａ２      Ａ３      Ａ４      Ａ５      Ａ６      Ａ７      Ａ８
＋        ＋        −        −        ＋        ＋        −        −
出力端子      Ｓ１      Ｓ２      Ｓ３      Ｓ４      Ｓ５      Ｓ６      Ｓ７      Ｓ８
＋        ＋        −        −        ＋        ＋        −        −
【００９２】
即ち、アンプの配列１０４に属するアンプＡ２、Ａ３、Ａ６及びＡ７の極性は、この順にそれぞれ、＋−＋−となり、配列１０３のアンプＡ１、Ａ４、Ａ５及びＡ８の極性は、この順にそれぞれ、＋−＋−となる。従って、いずれの配列も、同時に同じ極性の動作を行なうアンプの一部を含む構成となっており、電流の集中を防止して、電源電位の変動防止及び出力信号の安定を図ることができる。また、いずれの配列も、同時には同じ極性の動作を行なわないアンプ同士を隣接させているので、電源配線数を増やすことなく、電流の集中を防止して、電源電位の変動防止及び出力信号の安定を図ることができる。極性反転信号がＬの場合も同様である。
【００９３】
そして、この第８の実施態様のように構成する場合は、以下のようにすればよい。まず、出力端子Ｓ１及びＳ２は同じ極性になるから、正極性のときは信号処理回路Ｄ１及びＤ３に対応し、負極性のときは信号処理回路Ｄ２お呼びＤ４に対応するものとする。また出力端子Ｓ３及びＳ４はそれとは逆極性で相互には同じ極性になるから、これらが負極性のときは信号処理回路Ｄ２及びＤ４に対応し、正性のときは信号処理回路Ｄ１及びＤ３に対応するものとする。すなわち、スイッチ８７の代わりに、図示しないスイッチ８７０を新たに設けることとし、スイッチ８７０の一つは、極性反転信号ＰＯＬの値ＨまたはＬにそれぞれ応答して、信号処理回路Ｄ１及びＤ２の出力をアンプＡ１及びＡ３に対して、この順でまたは交換した順序で接続する構成とする。また、スイッチ８７０の他の一つは、極性反転信号ＰＯＬの値ＨまたはＬにそれぞれ応答して、信号処理回路Ｄ３及びＤ４の出力をアンプＡ２及びＡ４に対して、この順でまたは交換した順序で接続する構成とする。また、さらに他の一つの推知８７０は、信号処理回路Ｄ５及びＤ６をアンプＡ５及びＡ７に同様の態様にて接続し、さらに他のスイッチ８７０は、信号処理回路Ｄ７及びＤ８をアンプＡ６及びＡ８に同様の態様にて接続する構成とする。
【００９４】
第９の実施態様
第３の実施態様や第６の実施態様と同様に、図１０の駆動装置１０２においても、電源配線ＶＤＤｃを配列１０３と１０４とに共通に設け、接地電位の電源配線ＶＳＳａ及びＶＳＳｂを別個独立に設ける構成としても良い。また逆に、接地電位の電源配線Ｖｓｓｃを両配列に共通に設けて、電源配線ＶＤＤａ及びＶＤＤｂは別個に設ける構成としても良い。いずれの場合も、第３の実施態様や第６の実施態様と同様に、電源電位の安定、及び出力信号の安定を図ることができる。
【００９５】
第１０の実施態様
図１１は第１０の実施態様における駆動装置１１２を示す。図１０の駆動装置と異なる点は、出力端子Ｓ１ないしＳ８にこの順で対応するアンプＡ１ないしＡ８を、２つのグループに分けるに際して、アンプＡ３，Ａ２，Ａ７及びＡ６をこの順で隣接形成して配列１１４となし、出力端子の配列５に隣接させている点、また、アンプＡ１，Ａ４，Ａ５及びＡ８をこの順で隣接形成して、配列１１３とし、これを配列１１４に隣接させている点である。これらアンプＡ３，Ａ２，Ａ７及びＡ６と、アンプＡ１，Ａ４，Ａ５及びＡ８とは、出力端子の配列５とは平行ではない所定の方向に沿って、互いにこの順で隣接しあう配置となる。レイアウト上の便宜によっては、この所定の方向は、配列５に対して垂直であってもよいし、垂直ではなく傾いていてもかまわない。この構成により、図３の反転駆動を行なう場合には、極性反転信号ＰＯＬがＨの時には、配列１１４のアンプＡ３，Ａ２，Ａ７及びＡ６の極性はこの順で、−＋−＋となり、配列１１３のアンプＡ１，Ａ４，Ａ５及びＡ８の極性はこの順で、−＋−＋となる。極性反転信号ＰＯＬがＬのときはそれぞれこの逆極性となる。従って、いずれの配列も、同時に同じ極性となるアンプの一部を含み、従って、上述したように、電源配線への電流の集中を防ぎ、電源電位を安定化させ、出力信号の安定を確保することができる。また、同時には同じ極性にはならないアンプ同士を隣接させるように包含しているため、装置を大型化することなく、出力の安定化の効果を得ることができる。
【００９６】
また、出力端子二つ毎に極性を異ならせる駆動方式を用いる場合は、図５の方式を用いることができる。即ち、例えば、極性反転信号ＰＯＬがＨのときは、相互に隣接するアンプＡ３，Ａ２，Ａ７及びＡ６の極性はこの順で、−＋−＋となり、アンプＡ１，Ａ４，Ａ５及びＡ８の極性はこの順で、＋−＋−となる。極性反転信号がＬのときはこれらの逆極性である。従って、いずれの配列でも、同時に同じ極性となるアンプの一部を含み、従って、上述したように、電源配線への電流の集中を防ぎ、電源電位を安定化させ、出力信号の安定を確保することができる。また、同時には同じ極性にはならないアンプ同士を隣接させるように包含して電源配線を共通接続しているため、装置を大型化することなく、出力の安定化の効果を得ることができる。
そして、図１１の駆動装置１１２において、図５の駆動方法を行なう場合は、第８の実施態様と同じようにすればよい。つまり、出力端子Ｓ１及びＳ２は同じ極性だから、正極性のときは信号処理回路Ｄ１及びＤ３に、負極性のときは信号処理回路Ｄ２及びＤ４に対応する。また出力端子Ｓ３及びＳ４はそれとは逆極性で相互には同じ極性であり、負極性のときは信号処理回路Ｄ２及びＤ４に、正極性のときは信号処理回路Ｄ１及びＤ３に対応するものとする。すなわち、スイッチ８７の代わりに、図示しないスイッチ８７０を、第８の実施態様と同様に設け、スイッチ８７０の一つは、極性反転信号ＰＯＬの値ＨまたはＬにそれぞれ応答して、信号処理回路Ｄ１及びＤ２の出力をアンプＡ１及びＡ３に対して、この順でまたは交換した順序で接続する構成とする。また、スイッチ８７０の他の一つは、極性反転信号ＰＯＬの値ＨまたはＬにそれぞれ応答して、信号処理回路Ｄ３及びＤ４の出力をアンプＡ２及びＡ４に対して、この順でまたは交換した順序で接続する構成とする。また、さらに他の一つの推知８７０は、信号処理回路Ｄ５及びＤ６をアンプＡ５及びＡ７に同様の態様にて接続し、さらに他のスイッチ８７０は、信号処理回路Ｄ７及びＤ８をアンプＡ６及びＡ８に同様の態様にて接続する構成とする。
【００９７】
さらに、図１１の駆動装置１１２においても、電源配線ＶＤＤｃを配列１１３と１１４とに共通に設け、接地電位の電源配線ＶＳＳａ及びＶＳＳｂを別個独立に設ける構成としても良い。また逆に、接地電位の電源配線Ｖｓｓｃを両配列に共通に設けて、電源配線ＶＤＤａ及びＶＤＤｂは別個に設ける構成としても良い。いずれの場合も、第３の実施態様や第６の実施態様と同様に、電源電位の安定、及び出力信号の安定を図ることができる。
【００９８】
第１１の実施態様
図１２は、第１１の実施態様における駆動装置１２２を示す。図１１の駆動装置と異なる点は、出力端子Ｓ１ないしＳ８にこの順で対応するアンプＡ１ないしＡ８を、２つのグループに分けるに際して、アンプＡ１，Ａ４，Ａ５及びＡ８をこの順で隣接形成して配列１２４となし、出力端子の配列５に隣接させている点、また、アンプＡ３，Ａ２，Ａ７及びＡ６をこの順で隣接形成して、配列１２３とし、これを配列１２４に隣接させている点である。これらアンプＡ３，Ａ２，Ａ７及びＡ６と、アンプＡ１，Ａ４，Ａ５及びＡ８とは、出力端子の配列５とは平行ではない所定の方向に沿って、互いにこの順で隣接しあう配置となる。レイアウト上の便宜によっては、この所定の方向は、配列５に対して垂直であってもよいし、垂直ではなく傾いていてもかまわない。この構成により、図３の反転駆動を行なう場合には、極性反転信号ＰＯＬがＨの時には、配列１２４のアンプＡ１，Ａ４，Ａ５及びＡ８の極性はこの順で、−＋−＋となり、配列１２３のアンプＡ３，Ａ２，Ａ７及びＡ６の極性はこの順で、−＋−＋となる。極性反転信号ＰＯＬがＬのときはそれぞれこの逆極性となる。従って、いずれの配列も、同時に同じ極性となるアンプの一部を含み、従って、上述したように、電源配線への電流の集中を防ぎ、電源電位を安定化させ、出力信号の安定を確保することができる。また、同時には同じ極性にはならないアンプ同士を隣接させるように包含して接続しているため、装置を大型化することなく、出力の安定化の効果を得ることができる。
【００９９】
また、出力端子二つ毎に極性を異ならせる駆動方式を用いる場合は、図５の方式を用いることができる。即ち、例えば、極性反転信号ＰＯＬがＨのときは、相互に隣接するアンプＡ３，Ａ２，Ａ７及びＡ６の極性はこの順で、−＋−＋となり、アンプＡ１，Ａ４，Ａ５及びＡ８の極性はこの順で、＋−＋−となる。極性反転信号がＬのときはこれらの逆極性である。従って、いずれの配列でも、同時に同じ極性となるアンプの一部を含み、従って、上述したように、電源配線への電流の集中を防ぎ、電源電位を安定化させ、出力信号の安定を確保することができる。また、同時には同じ極性にはならないアンプ同士を隣接させるように包含して電源配線を共通接続しているため、装置を大型化することなく、出力の安定化の効果を得ることができる。
そして、図１２の駆動装置１２２において、図５の駆動方法を行なう場合は、第８の実施態様と同じようにすればよい。つまり、出力端子Ｓ１及びＳ２は同じ極性だから、正極性のときは信号処理回路Ｄ１及びＤ３に、負極性のときは信号処理回路Ｄ２及びＤ４に対応する。また出力端子Ｓ３及びＳ４はそれとは逆極性で相互には同じ極性であり、負極性のときは信号処理回路Ｄ２及びＤ４に、正極性のときは信号処理回路Ｄ１及びＤ３に対応するものとする。すなわち、スイッチ８７の代わりに、図示しないスイッチ８７０を、第８の実施態様と同様に設け、スイッチ８７０の一つは、極性反転信号ＰＯＬの値ＨまたはＬにそれぞれ応答して、信号処理回路Ｄ１及びＤ２の出力をアンプＡ１及びＡ３に対して、この順でまたは交換した順序で接続する構成とする。また、スイッチ８７０の他の一つは、極性反転信号ＰＯＬの値ＨまたはＬにそれぞれ応答して、信号処理回路Ｄ３及びＤ４の出力をアンプＡ２及びＡ４に対して、この順でまたは交換した順序で接続する構成とする。また、さらに他の一つの推知８７０は、信号処理回路Ｄ５及びＤ６をアンプＡ５及びＡ７に同様の態様にて接続し、さらに他のスイッチ８７０は、信号処理回路Ｄ７及びＤ８をアンプＡ６及びＡ８に同様の態様にて接続する構成とする。
また、同様に、出力端子３つ以上ごとに極性を異ならせることもできる。例えば、３つごとに異ならせる場合は、出力端子Ｓ１、Ｓ２及びＳ３を、正極性の場合は信号処理回路Ｄ１、Ｄ３及びＤ５に対応させ、負極性のときはＤ２、Ｄ４及びＤ６に対応させる。また、出力端子Ｓ４、Ｓ５及びＳ６を、負極性の場合は信号処理回路Ｄ２、Ｄ４及びＤ６に対応させ、正極性のときはＤ１、Ｄ３及びＤ５に対応させる。即ち、新しいスイッチ８７００を設けることとし、一つのスイッチ８７００は、信号処理回路Ｄ１とＤ２の出力を出力端子Ｓ１とＳ４に正順でまたは交換して出力し、他のスイッチ８７００は信号処理回路Ｄ３とＤ４の出力を出力端子Ｓ２とＳ５に正順でまたは交換して出力し、さらに他のスイッチ８７００は、信号処理回路Ｄ５とＤ６の出力を出力端子Ｓ３とＳ６に正順でまたは交換して出力する構成とすればよい。
【０１００】
さらに、図１２の駆動装置１２２においても、電源配線ＶＤＤｃを配列１２３と１２４とに共通に設け、接地電位の電源配線ＶＳＳａ及びＶＳＳｂを別個独立に設ける構成としても良い。また逆に、接地電位の電源配線Ｖｓｓｃを両配列に共通に設けて、電源配線ＶＤＤａ及びＶＤＤｂは別個に設ける構成としても良い。いずれの場合も、第３の実施態様や第６の実施態様と同様に、電源電位の安定、及び出力信号の安定を図ることができる。
【０１０１】
第１２の実施態様
図１３は、第１２の実施態様における駆動装置１３２の構成概略を示す図であり、図１２の駆動装置と異なる点は、
まず、出力端子Ｓ１ないしＳ８にこの順で対応するアンプＡ１ないしＡ８を、２つのグループに分けるに際して、アンプＡ１，Ａ３，Ａ５及びＡ７をこの順で隣接形成して配列１３４となし、出力端子の配列５に隣接させている点、また、アンプＡ２，Ａ４，Ａ６及びＡ８をこの順で隣接形成して、配列１３３とし、これを配列１３４に隣接させている点である。これらアンプＡ１，Ａ３，Ａ５及びＡ７と、アンプＡ２，Ａ４，Ａ６及びＡ８とは、出力端子の配列５とは平行ではない所定の方向に沿って、互いにこの順で隣接しあう配置となる。レイアウト上の便宜によっては、この所定の方向は、配列５に対して垂直であってもよいし、垂直ではなく傾いていてもかまわない。この構成により、図３の反転駆動を行なう場合には、極性反転信号ＰＯＬがＨの時には、配列１３４のアンプＡ１，Ａ３，Ａ５及びＡ７の極性はこの順で、−−−−となり、配列１３３のアンプＡ２，Ａ４，Ａ６及びＡ８の極性はこの順で、＋＋＋＋となる。極性反転信号ＰＯＬがＬのときはそれぞれこの逆極性となる。従って、各配列は、いずれも、同時に同じ極性で動作するアンプを集めた配列となっている。そして、電源配線ＶＤＤａ２が、これら両配列の間をまたがって延在し、極性反転信号がＨの場合を例にすると、正極性のアンプの配列である配列１３３の内、アンプＡ４及びＡ８とだけ接続しており、電流集中を防いで電位変動を防止し、出力信号の安定を実現している。電源配線ＶＤＤｂ２についても、同様である。また、電源配線ＶＤＤａ２は、同時に、負極性のアンプＡ１及びＡ５とも共通に接続している。従って、駆動装置１３２においては、配線数を増やさず、装置の大型化を防ぎつつ出力信号の安定を実現することができる。
【０１０２】
駆動装置１３２においては、接地電位の電源配線ＶＳＳｃについては、図６等と同じように、アンプの配列１３３と１３４との間に共通の配線として形成しているが、電源配線ＶＤＤａ２及びＶＤＤｂ２と同じように、電源配線ＶＳＳａ２及びＶＳＳｂ２の２つを独立して形成し、配列１３４及び１３４をまたがって一部のアンプのみに選択的に接続するように構成しても良い。
【０１０３】
また、この駆動装置１３２は、アンプのレイアウト上の配置の点を除いて、電源配線との接続態様及び出力端子Ｓ１等との接続態様においては、図１０、図１１及び図１２の各駆動装置と同じであり、出力端子が２こ以上毎に、極性が変わる駆動方式の適用についても、上述した各構成と同様にして行うことができる。
【０１０４】
第１３の実施形態
図１４は、第１３の実施形態を示す概略図である。この実施形態の駆動装置１４２は、Ｐ／Ｎバッファ・アンプ・タイプのものであり、正極電圧用のアンプＡＰ１ないしＡＰ４が配列１４４を構成し、負極電圧用のアンプＡＮ１ないしＡＮ４が配列１４３を構成している。電源配線ＶＤＤａ２およびＶＤＤｂ２の構成については、図１３の駆動装置を同様である。この構成においても、電源配線への電流集中を防いで電位変動を防止し、出力信号の安定を実現している。また電源配線は、同時には同じ極性にならないアンプ同士を共通に接続しているため、装置の大型化を防ぎつつ出力信号の安定を実現することができるという、第１２の実施形態と同様の効果を得ることができる。
【図面の簡単な説明】
【０１０５】
【図１】第１の実施態様における、ＰＮバッファ・アンプ・タイプの駆動装置のレイアウト概略図
【図２】ＰＮバッファ・アンプの回路図および電流パスの模式図
【図３】第１の実施態様の駆動装置における極性反転の方式であるドット反転駆動方式の模式図
【図４】第２の実施態様の駆動装置における極性反転の方式であるＨ２ドット反転駆動方式の模式図
【図５】２ドット反転駆動方式の他の態様を示す模式図
【図６】第３の実施態様を示す概略図
【図７】ＰＮバッファ・アンプ・タイプとレール・トゥ・レール・アンプ・タイプとを比較説明する模式図
【図８】第４の実施態様である、レール・トゥ・レール・アンプ・タイプの駆動装置の構成図
【図９】レール・トゥ・レール・アンプの回路図および電流パスの模式図
【図１０】７の実施態様である、レール・トゥ・レール・アンプ・タイプの駆動装置の構成図
【図１１】１０の実施態様である、レール・トゥ・レール・アンプ・タイプの駆動装置の構成図
【図１２】１１の実施態様である、レール・トゥ・レール・アンプ・タイプの駆動装置の構成図
【図１３】１２の実施態様である、レール・トゥ・レール・アンプ・タイプの駆動装置の構成図
【図１４】１３の実施態様である、ＰＮバッファ・アンプ・タイプの駆動装置の構成図
【符号の説明】
【０１０６】
１  信号線
２、６２、８２、１０２、１１２、１２２、１３２  駆動装置
３、４、８３、８４、１０３、１０４、１１３、１１４、１２３、１２４、１３３、１３４  アンプの配列
５  出力端子の配列
６  出力端子
７、１１、８７、８７０、８７００  スイッチ
８、９、８８、８９、１０８、１０９、１１８、１１９、１２８、１２９、１３８、１３９  アンプ
１０  信号処理回路
１２  データ信号
２１、２６、９１  差動増幅段
２２、２３、２７、２８、９２、９３  出力トランジスタ
２４  負荷
２５、２９  出力端
ＯＰ１、ＯＰ２、ＯＰ  差動増幅器
ＰＯＬ  極性反転信号
【図１】
0005074916.tif 000002
【図２】
0005074916.tif 000003
【図３】
0005074916.tif 000004
【図４】
0005074916.tif 000005
【図５】
0005074916.tif 000006
【図６】
0005074916.tif 000007
【図７】
0005074916.tif 000008
【図８】
0005074916.tif 000009
【図９】
0005074916.tif 000010
【図１０】
0005074916.tif 000011
【図１１】
0005074916.tif 000012
【図１２】
0005074916.tif 000013
【図１３】
0005074916.tif 000014
【図１４】
0005074916.tif 000015